【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
基地局装置とユーザ装置とが、プライマリコンポーネントキャリアと複数の非プライマリコンポーネントキャリアとを用いて通信する通信システムであって、
前記基地局装置は、
上位層のシグナリングを用いて、４つの物理上りリンク制御チャネルリソースの夫々に対する４つのインデックスを前記ユーザ装置へ送信し、
前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータの夫々を前記ユーザ装置へ送信し、
前記ユーザ装置は、
前記インデックスインジケータに従って、前記４つのインデックスの中から前記１つのインデックスを決定し、
前記１つのインデックスが対応する物理上りリンク制御チャネルリソースを用いて、ＨＡＲＱ−ＡＣＫ／ＮＡＣＫを前記基地局装置へ送信し、
前記下りリンク制御情報フォーマットは、前記非プライマリコンポーネントキャリアにおける物理下りリンク共有チャネルをスケジューリングするために使用される
ことを特徴とする通信システム。
【請求項２】
前記下りリンク制御情報フォーマットは、物理下りリンク制御チャネルにおいて送信される
ことを特徴とする請求項１に記載の通信システム。
【請求項３】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項１または２に記載の通信システム。
【請求項４】
基地局装置とユーザ装置とが、プライマリコンポーネントキャリアと複数の非プライマリコンポーネントキャリアとを用いて通信する通信システムにおける基地局装置であって、
前記基地局装置は、
上位層のシグナリングを用いて、４つの物理上りリンク制御チャネルリソースの夫々に対する４つのインデックスを前記ユーザ装置へ送信する手段と、
前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータの夫々を前記ユーザ装置へ送信する手段と、
前記１つのインデックスが対応する物理上りリンク制御チャネルリソースを用いて、ＨＡＲＱ−ＡＣＫ／ＮＡＣＫを前記ユーザ装置から受信する手段と、を備え、
前記１つのインデックスは、前記インデックスインジケータに従って、前記４つのインデックスの中から前記ユーザ装置によって決定され、
前記下りリンク制御情報フォーマットは、前記非プライマリコンポーネントキャリアにおける物理下りリンク共有チャネルをスケジューリングするために使用される
ことを特徴とする基地局装置。
【請求項５】
前記下りリンク制御情報フォーマットは、物理下りリンク制御チャネルにおいて送信される
ことを特徴とする請求項４に記載の基地局装置。
【請求項６】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項４または５に記載の基地局装置。
【請求項７】
基地局装置とユーザ装置とが、プライマリコンポーネントキャリアと複数の非プライマリコンポーネントキャリアとを用いて通信する通信システムにおけるユーザ装置であって、
前記ユーザ装置は、
前記基地局装置から受信した上位層のシグナリングに基づいて、４つの物理上りリンク制御リソースの夫々に対する４つのインデックスを設定される手段と、
インデックスインジケータに従って、前記４つのインデックスの中から１つのインデックスを決定する手段と、
前記１つのインデックスが対応する物理上りリンク制御チャネルリソースを用いて、ＨＡＲＱ−ＡＣＫ／ＮＡＣＫを前記基地局装置へ送信する手段と、を備え、
同一の物理上りリンク制御チャネルリソースに対する前記１つのインデックスを示す前記インデックスインジケータの夫々は、前記複数の非プライマリコンポーネントキャリアに対応する夫々の下りリンク制御情報フォーマットにおける物理上りリンク制御チャネルに対する送信電力制御コマンドフィールドを用いて前記基地局装置によって送信され、
前記下りリンク制御情報フォーマットは、前記非プライマリコンポーネントキャリアにおける物理下りリンク共有チャネルをスケジューリングするために使用される
ことを特徴とするユーザ装置。
【請求項８】
前記下りリンク制御情報フォーマットは、物理下りリンク制御チャネルにおいて送信される
ことを特徴とする請求項７に記載のユーザ装置。
【請求項９】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項７または８に記載のユーザ装置。
【請求項１０】
基地局装置とユーザ装置とが、プライマリコンポーネントキャリアと複数の非プライマリコンポーネントキャリアとを用いて通信する通信システムにおける基地局装置の方法であって、
上位層のシグナリングを用いて、４つの物理上りリンク制御チャネルリソースの夫々に対する４つのインデックスを前記ユーザ装置へ送信し、
前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータの夫々を前記ユーザ装置へ送信し、
前記１つのインデックスが対応する物理上りリンク制御チャネルリソースを用いて、ＨＡＲＱ−ＡＣＫ／ＮＡＣＫを前記ユーザ装置から受信し、
前記１つのインデックスは、前記インデックスインジケータに従って、前記４つのインデックスの中から前記ユーザ装置によって決定され、
前記下りリンク制御情報フォーマットは、前記非プライマリコンポーネントキャリアにおける物理下りリンク共有チャネルをスケジューリングするために使用される
ことを特徴とする方法。
【請求項１１】
前記下りリンク制御情報フォーマットは、物理下りリンク制御チャネルにおいて送信される
ことを特徴とする請求項１０に記載の方法。
【請求項１２】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項１０または１１に記載の方法。
【請求項１３】
基地局装置とユーザ装置とが、プライマリコンポーネントキャリアと複数の非プライマリコンポーネントキャリアとを用いて通信する通信システムにおけるユーザ装置の方法であって、
前記基地局装置から受信した上位層のシグナリングに基づいて、４つの物理上りリンク制御リソースの夫々に対する４つのインデックスを設定し、
インデックスインジケータに従って、前記４つのインデックスの中から１つのインデックスを決定し、
前記１つのインデックスが対応する物理上りリンク制御チャネルリソースを用いて、ＨＡＲＱ−ＡＣＫ／ＮＡＣＫを前記基地局装置へ送信し、
同一の物理上りリンク制御チャネルリソースのインデックスを示す前記１つのインデックスインジケータの夫々は、前記複数の非プライマリコンポーネントキャリアに対応する夫々の下りリンク制御情報フォーマットにおける物理上りリンク制御チャネルに対する送信電力制御コマンドフィールドを用いて前記基地局装置によって送信され、
前記下りリンク制御情報フォーマットは、前記非プライマリコンポーネントキャリアにおける物理下りリンク共有チャネルをスケジューリングするために使用される
ことを特徴とする方法。
【請求項１４】
前記下りリンク制御情報フォーマットは、物理下りリンク制御チャネルにおいて送信される
ことを特徴とする請求項１３に記載の方法。
【請求項１５】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項１３または１４に記載の方法。
【請求項１６】
基地局装置とユーザ装置とが、プライマリコンポーネントキャリアと複数の非プライマリコンポーネントキャリアとを用いて通信する通信システムにおける基地局装置に搭載される集積回路であって、
上位層のシグナリングを用いて、４つの物理上りリンク制御チャネルリソースの夫々に対する４つのインデックスを前記ユーザ装置へ送信するためのロジック素子と、
前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータの夫々を前記ユーザ装置へ送信するためのロジック素子と、
前記１つのインデックスが対応する物理上りリンク制御チャネルリソースを用いて、ＨＡＲＱ−ＡＣＫ／ＮＡＣＫを前記ユーザ装置から受信するためのロジック素子と、を備え、
前記１つのインデックスは、前記インデックスインジケータに従って、前記４つのインデックスの中から前記ユーザ装置によって決定され、
前記下りリンク制御情報フォーマットは、前記非プライマリコンポーネントキャリアにおける物理下りリンク共有チャネルをスケジューリングするために使用される
ことを特徴とする集積回路。
【請求項１７】
前記下りリンク制御情報フォーマットは、物理下りリンク制御チャネルにおいて送信される
ことを特徴とする請求項１６に記載の集積回路。
【請求項１８】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項１６または１７に記載の集積回路。
【請求項１９】
基地局装置とユーザ装置とが、プライマリコンポーネントキャリアと複数の非プライマリコンポーネントキャリアとを用いて通信する通信システムにおけるユーザ装置に搭載される集積回路であって、
前記基地局装置から受信した上位層のシグナリングに基づいて、４つの物理上りリンク制御リソースの夫々に対する４つのインデックスを設定するためのロジック素子と、
インデックスインジケータに従って、前記４つのインデックスの中から１つのインデックスを決定するためのロジック素子と、
前記１つのインデックスが対応する物理上りリンク制御チャネルリソースを用いて、ＨＡＲＱ−ＡＣＫ／ＮＡＣＫを前記基地局装置へ送信するためのロジック素子と、を備え、
前記１つのインデックスを示す前記インデックスインジケータの夫々は、前記複数の非プライマリコンポーネントキャリアに対応する夫々の下りリンク制御情報フォーマットにおける物理上りリンク制御チャネルに対する送信電力制御コマンドフィールドを用いて前記基地局装置によって送信され、
前記下りリンク制御情報フォーマットは、前記非プライマリコンポーネントキャリアにおける物理下りリンク共有チャネルをスケジューリングするために使用される
ことを特徴とする集積回路。
【請求項２０】
前記下りリンク制御情報フォーマットは、物理下りリンク制御チャネルにおいて送信される
ことを特徴とする請求項１９に記載の集積回路。
【請求項２１】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項１９または２０に記載の集積回路。